(57)【要約】【課題】バッテリの隣接する正極と負極を着脱容易に接続するコネクタを提供する。【解決手段】コネクタ１０は、ハウジング１、リッドハウジング２、固定コンタクト３、可動コンタクト４、引張りコイルばね５、及び作動カム６を備える。ハウジングは、正極８ａ及び負極８ｂが挿入可能な一対のスリット開口１１ａ・１１ａを底部に開口する。固定コンタクト３の一対の第１接触片３ｂ・３ｂは、正極８ａ及び負極８ｂの一方の面に接触する。リッドハウジング２は、ハウジング１に嵌合する。リッドハウジング２をハウジング１に挿入すると、作動カム６は、引張りコイルばね５に抗して可動コンタクト４を移動させて、正極８ａ及び負極８ｂを介して、一対の第２接触片４ｂ・４ｂを一対の第１接触片３ｂ・３ｂに押圧する。【選択図】図２
2011003433.tif 000002
【特許請求の範囲】
【請求項１】
外部に突出する薄板状の一対の正極及び負極を設けるバッテリセルをその板厚方向に積層するバッテリにおいて、隣接する前記正極及び前記負極を短絡して、複数の前記バッテリセルを直列に接続するバッテリ用コネクタであって、
隣接する前記正極及び前記負極が挿入可能な一対のスリット開口を底部に開口する一対の凹部を有するハウジングと、
帯状の第１平坦部の両翼が屈折された一対の第１接触片を有する固定コンタクトであって、前記一対の第１接触片が前記一対の凹部に収容されて、当該一対の第１接触片が隣接する前記正極及び前記負極の一方の面に接触する固定コンタクトと、
帯状の第２平坦部の両翼が屈折された一対の第２接触片を有する可動コンタクトであって、前記一対の第２接触片が前記一対の第１接触片と対向するように前記一対の凹部に移動可能に収容されて、当該一対の第２接触片が隣接する前記正極及び前記負極の他方の面に接触する可動コンタクトと、
前記一対の第１接触片と前記一対の第２接触片とが互いに離反する方向に力を付勢する付勢部材と、
前記一対の凹部を覆うと共に前記ハウジングに嵌合するリッドハウジングと、
前記リッドハウジングに固定される長尺の作動カムと、を備え、
前記可動コンタクトは、前記リッドハウジングを前記ハウジングに挿入すると、前記作動カムが前記一対の第２接触片を移動させて、隣接する前記正極及び前記負極を前記一対の第１接触片に押圧する案内片を前記第２平坦部に有するバッテリ用コネクタ。
【請求項２】
前記一対の第１接触片及び前記一対の第２接触片は、それらの長手方向に亘り、一体化又は断続している請求項１記載のバッテリ用コネクタ。
【発明の詳細な説明】
【技術分野】
【０００１】
本発明は、バッテリ用コネクタに関する。特に、正極と負極を設けるリチウムイオン電池などのバッテリセルを板厚方向に積層したバッテリにおいて、隣接する正極と負極を電気的に接続するバッテリ用コネクタの構造に関する。
【背景技術】
【０００２】
近年、リチウムイオン電池などをモジュール（構成単位）とするバッテリは、電機モータを動力発生源として走行する電気自動車、又はエンジンと電機モータとを併用するハイブリッド自動車に利用されている。更に、このバッテリは、家庭用の電源で充電可能なプラグインハイブリッドカー（電気自動車）にも利用されている。
【０００３】
例えば、リチウムイオン電池などのバッテリセルは、薄板状のタブ端子で形成された一対の正極及び負極を外部に突出している。そして、正極と負極とが隣接するように、バッテリセルの向きを交互に変えて多列に配置すると共に、これらの正極と負極とを電気的に直列に接続することで、大容量のバッテリを得ることができる。
【０００４】
前述したようなバッテリとしては、バッテリボックス内に複数のバッテリセルを多列に配置と共に、隣接する正極と負極をケーブル（電線）で接続することにより、複数のバッテリセルを直列に接続するバッテリが開示されている（例えば、特許文献１参照）。
【先行技術文献】
【特許文献】
【０００５】
【特許文献１】特開平１１−１６２４４５号公報
【発明の概要】
【発明が解決しようとする課題】
【０００６】
特許文献１によるバッテリの明細書には、明示されていないが、隣接する正極と負極とをケーブルで接続（配線）するためには、ケーブルの端末をねじ止めで配線する作業が必要であると推定される。
【０００７】
一般に、このようなバッテリは、隣接する正極と負極との間に帯板状のバスバーを介在させて、ボルト又はナットなどの締付けにより接続している。隣接する正極と負極は、いわゆるボルト締接続により締結されている。
【０００８】
したがって、複数のバッテリセルの接続作業を時間のかかるものとしていた。隣接する正極と負極とを着脱容易に接続するバッテリ用コネクタが実現できれば、複数のバッテリセルの接続作業が容易であり、劣化したバッテリセルを正常のバッテリセルと交換することも便利になる。
【０００９】
一方では、近年のリチウムイオン電池などの電極は、板厚が大変薄くなっている。したがって、この電極が座屈し易い、又は変形し易いという理由から、隣接する正極と負極とを着脱容易に接続するバッテリ用コネクタを実現することは、容易ではない。そして、以上のことが本発明の課題といってよい。
【００１０】
本発明は、このような問題に鑑みてなされたものであり、薄板状の正極と負極を突出するバッテリセルを板厚方向に積層したバッテリにおいて、隣接する正極と負極を着脱容易に接続するバッテリ用コネクタを提供することを目的とする。
【課題を解決するための手段】
【００１１】
本発明者らは、コネクタを挿入又は抜去するために、ほとんど力を要しないスライディング端子によるＺＩＦ（ｚｅｒｏ  ｉｎｓｅｒｔｉｏｎ  ｆｏｒｃｅ）コネクタの構造を採用することにより、これらの課題が解決可能なことを見出し、これに基づいて、以下のような新たなバッテリ用コネクタを発明するに至った。
【００１２】
（１）  外部に突出する薄板状の一対の正極及び負極を設けるバッテリセルをその板厚方向に積層するバッテリにおいて、隣接する前記正極及び前記負極を短絡して、複数の前記バッテリセルを直列に接続するバッテリ用コネクタであって、隣接する前記正極及び前記負極が挿入可能な一対のスリット開口を底部に開口する一対の凹部を有するハウジングと、帯状の第１平坦部の両翼が屈折された一対の第１接触片を有する固定コンタクトであって、前記一対の第１接触片が前記一対の凹部に収容されて、当該一対の第１接触片が隣接する前記正極及び前記負極の一方の面に接触する固定コンタクトと、帯状の第２平坦部の両翼が屈折された一対の第２接触片を有する可動コンタクトであって、前記一対の第２接触片が前記一対の第１接触片と対向するように前記一対の凹部に移動可能に収容されて、当該一対の第２接触片が隣接する前記正極及び前記負極の他方の面に接触する可動コンタクトと、前記一対の第１接触片と前記一対の第２接触片とが互いに離反する方向に力を付勢する付勢部材と、前記一対の凹部を覆うと共に前記ハウジングに嵌合するリッドハウジングと、前記リッドハウジングに固定される長尺の作動カムと、を備え、前記可動コンタクトは、前記リッドハウジングを前記ハウジングに挿入すると、前記作動カムが前記一対の第２接触片を移動させて、隣接する前記正極及び前記負極を前記一対の第１接触片に押圧する案内片を前記第２平坦部に有するバッテリ用コネクタ。
【００１３】
（１）の発明によるバッテリ用コネクタは、隣接する正極及び負極を短絡して、複数のバッテリセルを直列に接続する。バッテリセルは、外部に突出する薄板状の一対の正極及び負極を設けている。バッテリは、バッテリセルをその板厚方向に積層している。
【００１４】
（１）の発明によるバッテリ用コネクタは、ハウジング、固定コンタクト、及び可動コンタクトを備えている。ハウジングは、一対の凹部を有している。これらの凹部は、隣接する正極及び負極が挿入可能なスリット開口を底部に開口している。
【００１５】
固定コンタクトは、帯状の第１平坦部の両翼が屈折された一対の第１接触片を有している。一対の第１接触片は、一対の凹部に収容されている。そして、一対の第１接触片は、隣接する正極及び負極の一方の面に接触する。
【００１６】
可動コンタクトは、帯状の第２平坦部の両翼が屈折された一対の第２接触片を有している。一対の第２接触片は、一対の第１接触片と対向するように、一対の凹部に移動可能に収容されている。そして、一対の第２接触片は、隣接する正極及び負極の他方の面に接触する。
【００１７】
（１）の発明によるバッテリ用コネクタは、付勢部材、リッドハウジング、及び長尺の作動カムを備えている。付勢部材は、一対の第１接触片と一対の第２接触片とが互いに離反する方向に力を付勢する。リッドハウジングは、一対の凹部を覆うと共にハウジングに嵌合する。作動カムは、リッドハウジングに固定されている。
【００１８】
そして、可動コンタクトは、案内片を第２平坦部に有している。案内片は、リッドハウジングをハウジングに挿入すると、作動カムが一対の第２接触片を移動させて、隣接する正極及び負極を一対の第１接触片に押圧する。
【００１９】
例えば、バッテリセルは、リチウムイオン電池からなり、薄板状のタブ端子で形成された一対の正極及び負極を外部に突出している。バッテリは、正極と負極とが隣接するように、バッテリセルの向きを交互に変えて、バッテリセルの板厚方向に積層している。
【００２０】
そして、本発明によるバッテリ用コネクタが隣接する正極及び負極を接続（短絡）することにより、複数のバッテリセルが直列に接続される。
【００２１】
ここで、ハウジング及びリッドハウジングは、絶縁性を有している。絶縁性のハウジング及びリッドハウジングとは、非導電性の材料からなるハウジング及びリッドハウジングのことであってよく、合成樹脂を成形して、所望の形状の絶縁性のハウジング及びリッドハウジングを得ることができる。
【００２２】
ハウジングは、角形であってよく、角型のハウジングとは、この発明によるバッテリ用コネクタが矩形の結合面を有する角形コネクタであることを意味している。そして、このハウジングは、リッドハウジングと結合する長方形の開口を有している。なお、実施形態では、角型のハウジングとしたが、角形に限定されるものではなく、バッテリやその他の条件に応じて変更されるものである。
【００２３】
又、ハウジングは一対の凹部を有するとは、ハウジングの内部が長手方向に延びる隔壁によって、二つに区画されていることを意味している。そして、これらの凹部の底部に一対のスリット開口を開口している。
【００２４】
この発明によるバッテリ用コネクタをバッテリに向かって取り付けると、隣接する正極及び負極が一対のスリット開口に正しく挿入できるように、ハウジングを正しく案内する案内片をバッテリ側に設けることが好ましい。
【００２５】
固定コンタクト及び可動コンタクトは、例えば、金属板からなり、展開された金属板を成形加工することにより、平坦部の両翼が屈折されたＣ形チャンネル状のコンタクトを得ることができる。固定コンタクト及び可動コンタクトは、導電性の金属板からなることが好ましく、展伸性及び導電性に優れた銅合金板が適用可能であるが、銅合金板に限定されるわけではない。
【００２６】
固定コンタクトは、例えば、その第１平坦部が適宜な手段でハウジングの隔壁に取り付けられてよく、この隔壁を跨ぐように一対の第１接触片が配置されてよく、一対の第１接触片を一対の凹部に収容できる。
【００２７】
可動コンタクトは、その第２平坦部が第１平坦部とスライド可能に連結してよく、ハウジングの隔壁を跨ぐように一対の第２接触片が配置されてよく、一対の第１接触片と対向するように一対の凹部に移動可能に収容されている。そして、可動コンタクトを移動すると、一対の第２接触片が隣接する正極及び負極の他方の面に接触できる。なお、可動コンタクトとは、固定コンタクトに対して移動できることを意味している。
【００２８】
付勢部材は、実体として、引張りコイルばねであってよく、引張りコイルばねの一端部に設けたフックが第１平坦部から突出した第１係止片に係止してよく、引張りコイルばねの他端部に設けたフックが第２平坦部から突出した第２係止片に係止してよく、一対の第１接触片と一対の第２接触片とが互いに離反する方向に力を付勢できる。
【００２９】
リッドハウジングをハウジングに嵌合する前の状態では、付勢部材に付勢されて、固定コンタクトの一方の第１接触片が可動コンタクトの一方の第２接触片と離間し、固定コンタクトの他方の第１接触片が可動コンタクトの他方の第２接触片と離間している。
【００３０】
この発明によるバッテリ用コネクタをバッテリに向かって取り付けると、固定コンタクトの一対の第１接触片及び可動コンタクトの一対の第２接触片を弾性変形することなく、隣接する正極及び負極の一方の面に固定コンタクトをスライドして接触することができる。すなわち、本発明によるバッテリ用コネクタは、隣接する正極及び負極をコンタクトに挿入又は抜去するために、ほとんど力を要しない構造となっている。
【００３１】
リッドハウジングと作動カムとは、一体に移動してよく、リッドハウジングをハウジングに嵌合する過程では、ハウジングの内壁にリッドハウジングの外壁が規制されて、ハウジングに対して作動カムは直線運動のみが許容される。
【００３２】
作動カムと案内片とは、作動カムの直線運動をこの直線運動と直交する方向に可動コンタクトを移動させるカム装置を構成している。案内片は、作動カムに対向して開角するように斜面を設けている。リッドハウジングをハウジングに向かって進行させると、斜面は作動カムに従動して、付勢部材に抗して、一対の第２接触片を一対の第１接触片に近づく方向に移動できる。
【００３３】
一方、リッドハウジングをハウジングから離反する方向に移動すると、付勢部材に付勢されて、一対の第２接触片を一対の第１接触片から離反する方向に移動できる。
【００３４】
リッドハウジングをハウジングに完全に嵌合した状態では、一対の第２接触片は、隣接する正極及び負極を介して、一対の第１接触片に押圧する力を付勢する。そして、一対の第１及び第２接触片の弾性復帰力により、隣接する正極及び負極に所定の接触圧を付与できる。
【００３５】
（１）の発明によるバッテリ用コネクタは、リッドハウジングをハウジングに嵌合すると、隣接する正極及び負極を介して、一対の第２接触片（可動コンタクト）を一対の第１接触片（固定コンタクト）に押圧するので、反作用として所定の接触圧を隣接する正極及び負極に付与できる。
【００３６】
又、（１）の発明によるバッテリ用コネクタは、隣接する正極及び負極を固定コンタクト及び可動コンタクトに接触させるために、可動コンタクト（スライディング端子）によるＺＩＦ構造を採用することにより、これらの正極及び負極に座屈荷重が作用しないという利点がある。したがって、板厚の薄い電極（正極及び負極）であっても、座屈変形させることなくコンタクトに接触できる。
【００３７】
（１）の発明によるバッテリ用コネクタは、隣接する正極及び負極をハウジングに挿入したときは、一対の第２接触片が一対の第１接触片から離間して、隣接する正極及び負極から離反しているので、隣接する正極及び負極の位置のバラツキ（製造誤差又は組立誤差）を許容できるという利点がある。そして、一対の第２接触片が一対の第１接触片を押圧したときは、隣接する正極及び負極の位置のバラツキを矯正するように作用する。
【００３８】
（２）  前記一対の第１接触片及び前記一対の第２接触片は、それらの長手方向に亘り、一体化又は断続している（１）記載のバッテリ用コネクタ。
【００３９】
（２）の発明によるバッテリ用コネクタは、一対の第１接触片及び一対の第２接触片がそれらの長手方向に亘り、一体化又は断続している。断続するとは、例えば、一対の第１接触片及び一対の第２接触片が均等に分割される形態を含むことができ、一対の第２接触片に等分布荷重が作用する。したがって、一対の第２接触片の撓み（反り）を抑制できる。一対の第２接触片には、多数の接点を設けることが好ましく、一対の第２接触片の長手方向に亘り、多数の接点を設けることにより、接触抵抗を低減できる。
【発明の効果】
【００４０】
本発明によるバッテリ用コネクタは、隣接する正極及び負極を固定コンタクト及び可動コンタクトに接触させるために、可動コンタクト（スライディング端子）によるＺＩＦ構造を採用することにより、これらの正極及び負極に座屈荷重が作用しないという利点がある。したがって、板厚の薄い電極（正極及び負極）であっても、座屈変形させることなくコンタクトに接触できる。
【００４１】
又、本発明によるバッテリ用コネクタは、隣接する正極及び負極をハウジングに挿入したときは、一対の第２接触片が一対の第１接触片から離間して、隣接する正極及び負極から離反しているので、隣接する正極及び負極の位置のバラツキ（製造誤差又は組立誤差）を許容できるという利点がある。そして、一対の第２接触片が一対の第１接触片を押圧したときは、隣接する正極及び負極の位置のバラツキを矯正するように作用する。
【図面の簡単な説明】
【００４２】
【図１】本発明の一実施形態によるバッテリ用コネクタ及びこのバッテリ用コネクタに接続されるバッテリを対向配置した斜視図である。
【図２】前記実施形態によるバッテリ用コネクタの構成を示す斜視分解組立図である。
【図３】前記実施形態によるバッテリ用コネクタに備わる固定コンタクト及び可動コンタクトが組み立てられた状態を示す斜視図である。
【図４】前記実施形態によるバッテリ用コネクタの縦断面図であり、一対の第２接触片が一対の第１接触片から離間した状態図である。
【図５】前記実施形態によるバッテリ用コネクタの縦断面図であり、一対の第２接触片が一対の第１接触片を押圧した状態図である。
【発明を実施するための形態】
【００４３】
以下、図面を参照して本発明を実施するための形態を説明する。
【００４４】
最初に、本発明の一実施形態によるバッテリ用コネクタの構成を説明する。図１は、本発明の一実施形態によるバッテリ用コネクタ及びこのバッテリ用コネクタに接続されるバッテリを対向配置した斜視図である。
【００４５】
図２は、前記実施形態によるバッテリ用コネクタの構成を示す斜視分解組立図である。図３は、前記実施形態によるバッテリ用コネクタに備わる固定コンタクト及び可動コンタクトが組み立てられた状態を示す斜視図である。
【００４６】
又、図４は、前記実施形態によるバッテリ用コネクタの縦断面図であり、一対の第２接触片が一対の第１接触片から離間した状態図である。図５は、前記実施形態によるバッテリ用コネクタの縦断面図であり、一対の第２接触片が一対の第１接触片を押圧した状態図である。
【００４７】
図１を参照すると、バッテリセル８は、例えば、リチウムイオン電池からなり、薄板状のタブ端子で形成された一対の正極８ａ及び負極８ｂを外部に突出している。バッテリ８０は、正極８ａと負極８ｂとが隣接するように、バッテリセル８の向きを交互に変えて、バッテリセル８の板厚方向に積層している。図示したバッテリセル８は、ケース８１に保持されており、これらのケース８１が多層に連結されている。
【００４８】
図１を参照すると、本発明の実施形態によるバッテリ用コネクタ（以下、コネクタと略称する）１０が隣接する正極８ａ及び負極８ｂを短絡することにより、複数のバッテリセル８が直列に接続される。実体として、複数のコネクタ１０は、バッテリ８０の上部に千鳥格子状（スタッガード）に配列される。
【００４９】
図２を参照すると、コネクタ１０は、角形のハウジング１と蓋体となるリッドハウジング２を備えている。ハウジング１は、一対の凹部１ａ・１ａを有している。これらの凹部１ａ・１ａは、隣接する正極８ａ及び負極８ｂが挿入可能なスリット開口１１ａ・１１ａを底部に開口している（図４参照）。
【００５０】
図２を参照すると、ハウジング１は、リッドハウジング２と結合する長方形の開口１ｋを有している。又、ハウジング１は、その内部が長手方向に延びる隔壁１１によって、二つに区画されている。そして、一対の凹部１ａ・１ａの底部に一対のスリット開口１１ａ・１１ａを開口している（図４参照）。
【００５１】
図２又は図４及び図５を参照すると、リッドハウジング２は、ハウジング１の開口１ｋと嵌合する外形を有している。リッドハウジング２をハウジング１に向かって押圧すると、開口１ｋを封止して、一対の凹部１ａ・１ａを覆うことができる。
【００５２】
図２及び図３を参照すると、コネクタ１０は、固定コンタクト３と可動コンタクト４を備えている。固定コンタクト３は、帯状の第１平坦部３ａと一対の第１接触片３ｂ・３ｂを有している。一対の第１接触片３ｂ・３ｂは、第１平坦部３ａの両翼が略直角に屈折されている（図４及び図５参照）。
【００５３】
図２及び図３を参照すると、固定コンタクト３は、相反する向きに向かう一対の板ばね片３１ａ・３１ａを両端部に有している。これらの板ばね片３１ａ・３１ａは、ハウジング１の内壁に係止できる。
【００５４】
又、図２及び図３を参照すると、固定コンタクト３は、対向する一対のベローズ形の板ばね片３１ｂ・３１ｂを中央部に有している。これらの板ばね片３１ｂ・３１ｂは、隔壁１１に設けた一対の凹部１１ｂ・１１ｂに係止できる。
【００５５】
図４を参照すると、一対の第１接触片３ｂ・３ｂは、一対の凹部１ａ・１ａに収容されている。そして、一対の第１接触片３ｂ・３ｂは、隣接する正極８ａ及び負極８ｂの一方の面に接触できる。
【００５６】
図２及び図３を参照すると、可動コンタクト４は、帯状の第２平坦部４ａと一対の第２接触片４ｂ・４ｂを有している。一対の第２接触片４ｂ・４ｂは、第２平坦部４ａの両翼が略直角に屈折されている（図４及び図５参照）。
【００５７】
図２及び図３を参照すると、第２平坦部４ａは、一対の角穴４１ｂ・４１ｂを中央部に開口している。そして、一対の板ばね片３１ｂ・３１ｂがこれらの角穴４１ｂ・４１ｂに係合しているので、固定コンタクト３に対して可動コンタクト４を移動できる（スライドできる）。
【００５８】
図４及び図５を参照すると、一対の第２接触片４ｂ・４ｂは、一対の第１接触片３ｂ・３ｂと対向するように、一対の凹部１ａ・１ａに収容されている。そして、固定コンタクト３に対して可動コンタクト４を移動すると、一対の第２接触片４ｂ・４ｂは、隣接する正極８ａ及び負極８ｂの他方の面に接触できる。
【００５９】
図２及び図３を参照すると、コネクタ１０は、付勢部材となる二つの引張りコイルばね５・５を備えている。引張りコイルばね５は、一対のフック５ｆ・５ｆを両端部に設けている。
【００６０】
図２及び図３を参照すると、一端部のフック５ｆは、第１平坦部３ａから突出した第１係止片３１ｃに係止している。他端部のフック５ｆは、第２平坦部４ａから突出した第２係止片４１ｃに係止している。そして、引張りコイルばね５は、一対の第１接触片３ｂ・３ｂと一対の第２接触片４ｂ・４ｂとが互いに離反する方向に力を付勢している。
【００６１】
図２及び図３を参照すると、コネクタ１０は、リッドハウジング２に固定される長尺の作動カム６を備えている。作動カム６は、例えば、金属板からなり、展開された金属板を成形加工することにより、一対の角筒状のカム部６ｂ・６ｂを平坦部６ａの両端部に形成する作動カム６を得ることができる。
【００６２】
図２及び図３を参照すると、作動カム６は、一対の圧入片６１ａ・６１ａを平坦部６ａから突出している。そして、これらの圧入片６１ａ・６１ａをリッドハウジング２の裏面に圧入して、作動カム６をリッドハウジング２に固定している。
【００６３】
図２及び図３を参照すると、固定コンタクト３は、一対の案内片３２・３２を第１平坦部３ａから突出している。そして、これらの案内片３２・３２は、一対のカム部６ｂ・６ｂの側面をスライドするように案内できる（図４及び図５参照）。
【００６４】
図２及び図３を参照すると、可動コンタクト４は、一対の案内片４２・４２を第２平坦部４ａから突出している。そして、案内片４２は、カム部６ｂに対向して開角するように斜面４２ａを設けている。
【００６５】
次に、本発明の実施形態によるコネクタ１０の作用を説明する。
【００６６】
図３及び図４を参照すると、リッドハウジング２をハウジング１に嵌合する前の状態では、二つの引張りコイルばね５・５に付勢されて、固定コンタクト３の一方の第１接触片３ｂが可動コンタクト４の一方の第２接触片４ｂと離間している。又、固定コンタクト３の他方の第１接触片３ｂが可動コンタクト４の他方の第２接触片４ｂと離間している。
【００６７】
図１及び図４を参照すると、本発明の実施形態によるコネクタ１０をバッテリ８０に向かって取り付けると、一対の第１接触片３ｂ・３ｂ及び一対の第２接触片４ｂ・４ｂを弾性変形することなく、隣接する正極８ａ及び負極８ｂの一方の面に固定コンタクト３をスライドして接触することができる。すなわち、本発明の実施形態によるコネクタ１０は、隣接する正極８ａ及び負極８ｂをコンタクトに挿入又は抜去するために、ほとんど力を要しないＺＩＦ構造となっている。
【００６８】
図４及び図５を参照すると、リッドハウジング２と作動カム６とは、一体に移動してよく、リッドハウジング２をハウジング１に嵌合する過程では、ハウジング１の内壁にリッドハウジング２の外壁が規制されて、ハウジング１に対して作動カム６は直線運動のみが許容される。
【００６９】
図４及び図５を参照すると、作動カム６のカム部６ｂと案内片４２とは、作動カム６の直線運動をこの直線運動と直交する方向に可動コンタクト４を移動させるカム装置を構成している。リッドハウジング２をハウジング１に向かって進行させると、案内片４２の斜面４２ａは、カム部６ｂの稜部に従動して、引張りコイルばね５に抗して、一対の第２接触片４ｂ・４ｂを一対の第１接触片３ｂ・３ｂに近づく方向に移動できる。
【００７０】
一方、図４及び図５を参照すると、リッドハウジング２をハウジング１から離反する方向に移動すると、引張りコイルばね５（付勢部材）に付勢されて、一対の第２接触片４ｂ・４ｂを一対の第１接触片３ｂ・３ｂから離反する方向に移動できる。
【００７１】
図５を参照すると、リッドハウジング２をハウジング１に完全に嵌合した状態では、一対の第２接触片４ｂ・４ｂは、隣接する正極８ａ及び負極８ｂを介して、一対の第１接触片３ｂ・３ｂに押圧する力を付勢する。そして、一対の第１接触片３ｂ・３ｂ及び一対の第２接触片４ｂ・４ｂの弾性復帰力により、隣接する正極８ａ及び負極８ｂに所定の接触圧を付与できる。
【００７２】
なお、図５を参照すると、第１接触片３ｂと第２接触片４ｂとが交差したように図示されているが、実体としては、第１接触片３ｂと第２接触片４ｂは、隣接する正極８ａ及び負極８ｂを介して、相互に弾性変形している。
【００７３】
本発明の実施形態によるコネクタ１０は、リッドハウジング２をハウジング１に嵌合すると、隣接する正極８ａ及び負極８ｂを介して、一対の第２接触片４ｂ・４ｂ（可動コンタクト４）を一対の第１接触片３ｂ・３ｂ（固定コンタクト３）に押圧するので、反作用として所定の接触圧を隣接する正極８ａ及び負極８ｂに付与できる。
【００７４】
又、本発明の実施形態によるコネクタ１０は、隣接する正極８ａ及び負極８ｂを固定コンタクト３及び可動コンタクト４に接触させるために、可動コンタクト４（スライディング端子）によるＺＩＦ構造を採用している。したがって、隣接する正極８ａ及び負極８ｂに座屈荷重が作用しないという利点がある。本発明の実施形態によるコネクタ１０は、板厚の薄い電極（正極８ａ及び負極８ｂ）であっても、座屈変形させることなくコンタクトに接触できる。
【００７５】
更に、本発明の実施形態によるコネクタ１０は、隣接する正極８ａ及び負極８ｂをハウジング１に挿入したときは、一対の第２接触片４ｂ・４ｂが一対の第１接触片３ｂ・３ｂから離間して、隣接する正極８ａ及び負極８ｂから離反しているので、隣接する正極８ａ及び負極８ｂの位置のバラツキ（製造誤差又は組立誤差）を許容できるという利点がある。そして、一対の第２接触片４ｂ・４ｂが一対の第１接触片３ｂ・３ｂを押圧したときは、隣接する正極８ａ及び負極８ｂの位置のバラツキを矯正するように作用する。
【００７６】
図２及び図３を参照すると、一対の第１接触片３ｂ・３ｂは、それらの長手方向に亘り、均等に分割されている（断続している）。同様に、一対の第２接触片４ｂ・４ｂは、それらの長手方向に亘り、均等に分割されている（断続している）。
【００７７】
したがって、隣接する正極８ａ及び負極８ｂに等分布荷重を付与できる。図２から図５を参照すると、一対の第１接触片３ｂ・３ｂ及び一対の第２接触片４ｂ・４ｂは、それらの対向面に僅かに突出する多数の接点（図示せず）を設けている。一対の第１接触片３ｂ・３ｂ及び一対の第２接触片４ｂ・４ｂの長手方向に亘り、多数の接点（図示せず）を設けることにより、接触抵抗を低減できる。
【００７８】
本発明によるバッテリ用コネクタは、実施形態に限定されない、例えば、作動カム６は、金属板の成形品に限定することなく、他の材料の選定も可能である。又、付勢部材は、引張りコイルばねに限定されない。板ばねなどの付勢部材で構成してもよい。
【００７９】
更に、可動コンタクト（スライディング端子）は、カム装置を用いてその運動を限定したが、リンク機構や歯車装置を用いて、可動コンタクトを移動することもできる。
【００８０】
本発明によるバッテリ用コネクタは、リチウムイオン電池を例示したが、外部に突出する薄板状の一対の正極及び負極を設ける電池は、本発明によるバッテリ用コネクタの被接続対象に全て含まれる。
【符号の説明】
【００８１】
１  ハウジング
１ａ・１ａ  一対の凹部
２  リッドハウジング
３  固定コンタクト
３ａ  第１平坦部
３ｂ・３ｂ  一対の第１接触片
４  可動コンタクト
４ａ  第２平坦部
４ｂ・４ｂ  一対の第２接触片
５  引張りコイルばね（付勢部材）
６  作動カム
８  バッテリセル
８ａ  正極
８ｂ  負極
１０  コネクタ（バッテリ用コネクタ）
１１ａ・１１ａ  一対のスリット開口
４２  案内片
８０  バッテリ
【図１】
2011003433.tif 000003
【図２】
2011003433.tif 000004
【図３】
2011003433.tif 000005
【図４】
2011003433.tif 000006
【図５】
2011003433.tif 000007